(57)【要約】【課題】機体の略中央部に設けられた回転支持部を中心として機体を回動させることにより、路面を比較的に小径の円形状に切断することができる建柱用路面切断機を提供する。【解決手段】下部に複数のキャスタ１３を有する機体１と、機体１に取付けられた手押しハンドル１４と、機体１に搭載された昇降装置２により昇降する回転刃３とを備えた建柱用路面切断機であって、前記機体１の略中央部に設けられた回転支持部１７が路面に固定される固定台１８の支持軸１９に支承されると共に、前記回転刃３は機体１の一側部に搭載された昇降装置２の外側部に機体１の回動方向に沿って配設され、前記機体１を前記固定台１８の支持軸１９に支承される回転支持部１７を中心として回動させることにより、路面を比較的に小径の円形状に切断することができるものである。【選択図】　　図２
2004036232.tif 000002
【特許請求の範囲】
【請求項１】
下部に複数のキャスタを有する機体と、機体に取付けられた手押しハンドルと、機体に搭載された昇降装置により昇降する回転刃とを備えた建柱用路面切断機であって、前記機体の略中央部に設けられた回転支持部が路面に固定される固定台の支持軸に支承されると共に、前記回転刃は機体の一側部に搭載された昇降装置の外側部に機体の回動方向に沿って配設され、前記機体を前記固定台の支持軸に支承される回転支持部を中心として回動させることにより、路面を比較的に小径の円形状に切断することができることを特徴とする建柱用路面切断機。
【請求項２】
前記機体に設けられた回転支持部は、機体の略中央部に架設された補強フレームに前記回転刃に対向して変位可能に設けられ、回転刃に対して回転支持部を変位させることにより、路面を径の異なる円形状に切断することができることを特徴とする請求項１に記載の建柱用路面切断機。
【発明の詳細な説明】
【０００１】
【発明の属する技術分野】
本発明は、路面を円形状に切断することができる建柱用路面切断機に関し、詳しくは、機体の略中央部に設けられた回転支持部を中心として機体を回動させることにより、路面を比較的に小径の円形状に切断することができる建柱用路面切断機に関するものである。
【０００２】
【従来の技術】
従来、この種の路面を円形状に切断する路面切断機として、図４に示すように、下部に前輪ａ及び後輪ｂを有する基体ｃと、基体ｃの一側端部に蝶番ｄにより接続されたフレームｅと、フレームｅの他側端部に設けられた断面円弧状回転体ｆと、フレームｅを回動傾斜して断面円弧状回転体ｆを昇降する前輪ａの車軸に設けられた可傾回動手段ｇと、基体ｃの一側端部の蝶番ｄ側に設けられたアンカーｈとを備え、基体ｃの一側端部に設けられたアンカーｈを中心として基体ｃを回動させることにより、基体ｃの他側端部がわであるフレームｅの他側端部に設けられた断面円弧状回転体ｆで路面を円形状に切断するものが知られている（特開２００１−２９５２１６号公報参照）。
【０００３】
【発明が解決しようとする課題】
しかしながら、上記従来技術の路面切断機においては、基体ｃの回動中心であるアンカーｈが基体ｃの一側端部に設けられているのに対して、断面円弧状回転体ｆは基体ｃの他側端部であるフレームｅの他側端部に設けられているため、基体ｃの回動中心であるアンカーｈと断面円弧状回転体ｆとの間隔が、基体ｃの幅を介した幅広となり、すなわち、断面円弧状回転体ｆで路面を切断する円形状が径大となり、建柱用としての比較的に小径の円形状に切断することができず、しかも、基体ｃは回動中心であるアンカーｈに対して公転するため、アンカーｈに大きな荷重がかかり、アンカーｈによる基体ｃの回動支持が不安定となるという不都合があった。
【０００４】
また、断面円弧状回転体ｆは基体ｃの一側端部に蝶番ｄにより接続されたフレームｅの他側端部に設けられていると共に、フレームｅは前輪ａの車軸に設けられた可傾回動手段ｇにより回動傾斜するものであるから、断面円弧状回転体ｆは、蝶番ｄと前輪ａの車軸に設けられた可傾回動手段ｇとにより支承されたフレームｅを回動傾斜することにより、基体ｃに対して昇降するため、路面の切断にあたって、断面円弧状回転体ｆは蝶番ｄを中心として揺動しやすく、断面円弧状回転体ｆによる路面の切断が不安定であるという不都合があった。
【０００５】
本発明は、上記従来技術における問題点を解決するもので、機体の略中央部に設けられた回転支持部を中心として機体を回動させることにより、路面を比較的に小径の円形状に切断することができる建柱用路面切断機を提供することを目的とするものである。
【０００６】
【課題を解決するための手段】
上記目的を達成するために、請求項１に係る発明は、下部に複数のキャスタを有する機体と、機体に取付けられた手押しハンドルと、機体に搭載された昇降装置により昇降する回転刃とを備えた建柱用路面切断機であって、前記機体の略中央部に設けられた回転支持部が路面に固定される固定台の支持軸に支承されると共に、前記回転刃は機体の一側部に搭載された昇降装置の外側部に機体の回動方向に沿って配設され、前記機体を前記固定台の支持軸に支承される回転支持部を中心として回動させることにより、路面を比較的に小径の円形状に切断することができるものである。
【０００７】
請求項１に係る発明によれば、手押しハンドルを押してキャスタにより機体を移動させると共に、回転刃を降下させて路面を回転刃により切断するのであるが、機体の略中央部に設けられた回転支持部が路面に固定される固定台に支承されるものであるから、路面を切断する建柱作業においては、機体の回転支持部を支承する支持軸を有する固定台により機体の回転支持部を路面に固定させて、回転支持部を中心として機体を回動させることができるので、路面を円形状に切断することができ、また、回転支持部は機体の略中央部に設けられているため、回転支持部と切断刃との距離を縮小させることができるので、路面を比較的に小径の円形状に切断することができると共に、機体は略中央部の回転支持部を中心として自転するため、機体を安定に回動支持することができる。
【０００８】
また、前記回転刃は機体の一側部に搭載された昇降装置の外側部に機体の回動方向に沿って配設されているので、回転刃を回転刃が配設されている側の機体の一側部に強固に支持することができ、しかも、機体の回転支持部を機体の略中央部に位置させることと相俟って、機体の側部に配設されている回転刃の移動軌跡円を比較的に小径にすることができると共に、回転刃の移動軌跡円を機体外郭部の移動軌跡円と略同程度に設定することができるので、縁石等の障害物がある場所でも、機体が邪魔になることなく、障害物に接近した路面を比較的に小径の円形状に切断することができる。
【０００９】
請求項２に係る発明は、請求項１に記載された発明において、機体に設けられた回転支持部は、機体の略中央部に架設された補強フレームに前記回転刃に対向して変位可能に設けられ、回転刃に対して回転支持部を変位させることにより、路面を径の異なる円形状に切断することができるものである。
【００１０】
請求項２に係る発明によれば、機体に設けられた回転支持部は、機体の略中央部に架設された補強フレームに回転刃に対向して変位可能に設けられているから、機体は補強フレームに補強され、回転刃を回転支持部により強固に支持することができるので、回転刃により路面を安定に切断することができ、また、機体の回転支持部を回転刃に対して変位させることにより、回転支持部と切断刃との距離を縮小・拡大させることができるので、建柱される柱の径に応じて、路面を径の異なる円形状に切断することができる。
【００１１】
【発明の実施の形態】
以下、本発明の実施の形態を図面に基づいて説明するが、本発明は、機体の略中央部に設けられた回転支持部を路面に固定される固定台の支持軸に支承させて機体を固定台の周りに回動させる回動手段と、該回動手段により機体を固定台の周りに回動させながら路面を切断する切断手段とを備えた建柱用路面切断機であり、この建柱用路面切断機で路面を比較的に小径の円形状に切断して建柱作業を行うものであって、図１は、建柱用路面切断機の一部を縦断して示す背面図であり、図２は、建柱用路面切断機の平面図であり、図３は、建柱用路面切断機の側面図である。
【００１２】
先ず、図１，図２及び図３を参照しながら、建柱用路面切断機の機体を固定台の周りに回動させる回動手段について説明する。１は建柱用路面切断機の機体であり、機体１は略四角形の枠に形成されており、その一側枠が機体本体１１をなすと共に、機体本体１１の略中央部から対向する他側枠の略中央部に亘って補強フレーム１２が架設され、この機体１の四隅には下部にキャスタ１３が配設されている。また、機体１の前枠における機体本体１１の近傍部には手押しハンドル１４が取付けられていると共に、該手押しハンドル１４は機体１の後部側に傾斜しており、さらに、機体１の後枠における機体本体１１の近傍部にはペダル１５が固定されている。
【００１３】
また、補強フレーム１２の略中央部の上面には、補強フレーム１２の長手方向に沿って長孔１６が穿設されていると共に、長孔１６には機体１の回転支持部である軸受１７が摺動自在に固定されることにより、後述する回転刃３に対して軸受１７の位置が変位され、軸受１７には、十字状に形成された固定台１８の中央部に樹立されている支持軸１９が嵌入されて、機体１は固定台１８の支持軸１９により支持される軸受１７を中心として回動される。なお、回転刃３に対する軸受１７の変位を、補強フレーム１２の長手方向に沿って穿設された長孔１６と、長孔１６に摺動自在に固定される軸受１７とによるものとして説明したが、回転刃３に対する軸受１７の変位は、補強フレーム１２の長手方向に複数の軸受を列設して、固定台１８の支持軸１９をいずれかの軸受に嵌入することによってもよい。また、符号１８’は固定台１８を路面に固定する固定釘である。
【００１４】
建柱用路面切断機の機体１を固定台１８の周りに回動させる回動手段は上記のように構成されており、作業者は、機体１の後方から手押しハンドル１４で機体１を操縦しながらペダル１５を足で押して、機体１を固定台１８の支持軸１９により支持される軸受１７を中心としてキャスタ１３により回動させることができる。
【００１５】
次に、図１，図２及び図３を参照しながら、上記した回動手段により機体１を固定台１８の周りに回動させつつ、路面を切断する切断手段について説明する。切断手段は、機体１における機体本体１１の前後方向の略中央部に搭載されている昇降装置２と、昇降装置２により昇降される回転刃３とからなり、昇降装置２は、昇降装置本体２１に回動自在に立設された昇降ハンドル２２を有する回動ねじ２３と、回動ねじ２３に昇降ねじ２４により螺着され且つ昇降装置本体２１に案内されて昇降する傾斜取付台２５とからなり、回転刃３は、皿状に形成されていると共に、駆動源であるモータ３１により駆動され、モータ３１は取付けブラケット３２及び取付けバンド３３により傾斜取付台２５に取付けられている。また、傾斜取付台２５は、機体本体１１に搭載されている昇降装置本体２１の外側部に配設されていると共に、傾斜取付台２５の取付面は外方へ下降傾斜する傾斜面に形成されている。さらに、モータ３１を傾斜取付台２５に取付けるにあたっては、皿状に形成されている回転刃３の凸面が機体１に対して外方に位置し、且つ回転刃３の縦断面形状における下半部が略垂直状を呈するように取付けられる。なお、符号３４は回転刃３の周辺部を包囲する防塵カバーであり、符号３５は集塵機であり、防塵カバー３４と集塵機３５とを図示しないフレキシブルホースで連通することにより、回転刃３による切断粉塵の飛散を防止するものである。
【００１６】
建柱用路面切断機の機体１を移動させながら固定台１８の周囲の路面を切断する切断手段は上記のように構成されており、作業者は、モータ３１により回転刃３を駆動させた状態で、昇降ハンドル２２を回動させることにより回転刃３を降下させて路面を切断するのであるが、と同時に、手押しハンドル１４で操縦をしながらペダル１５を足で押して機体１を移動させると、皿状に形成されている回転刃３は、凸面が機体１に対して外方に位置し、且つ回転刃３の縦断面形状における下半部が略垂直状を呈するように取付けられているから、回転刃３により路面を略垂直状に切断することができると共に、回転刃３は皿状に形成されている凸面により摺接抵抗を受け、この回転刃３の摺接抵抗により機体１を回転刃３の凸面と反対側へ回動指向させながら、路面を円弧状に切断することができる。
【００１７】
本発明の建柱用路面切断機は、上記した切断手段における回転刃３を、前記した回動手段により機体１と共に固定台１８の周りを機体１の回転支持部としての軸受１７を中心として回動させることができるので、路面を固定台１８の支持軸１９を中心とした円形状に切断することができ、また、軸受１７は機体１の略中央部に設けられているため、軸受１７と切断刃３との距離を縮小させることができるので、路面を比較的に小径の円形状に切断することができると共に、機体１は略中央部の軸受１７を中心として自転するため、機体１を安定に回動支持することができる。しかも、機体１は補強フレーム１２に補強され、回転刃３を軸受１７により強固に支持することができるので、回転刃３により路面を安定に切断することができ、また、機体１の軸受１７を回転刃３に対して変位させることにより、軸受１７と切断刃３との距離を縮小・拡大させることができるので、建柱される柱の径に応じて、路面を径の異なる円形状に切断することができる。
【００１８】
また、本発明においては、機体１に搭載された昇降装置２により昇降する回転刃３は、機体１の一側部に搭載された昇降装置２の外側部に機体１の回動方向に沿って配設されているので、これにより、回転刃３を回転刃３が配設されている側の機体１の一側部に強固に支持することができ、しかも、機体１の軸受１７を機体１の略中央部に位置させることと相俟って、機体１の側部に配設されている回転刃３の移動軌跡円を比較的に小径にすることができると共に、回転刃３の移動軌跡円を機体１の外郭の移動軌跡円と略同程度に設定することができるので、縁石等の障害物がある場所でも、機体１が邪魔になることなく、障害物に接近した路面を比較的に小径の円形状に切断することができる。
【００１９】
【発明の効果】
以上のように構成される本発明によると、路面を切断する建柱作業においては、機体の回転支持部を支持軸で支承する固定台により機体の回転支持部を路面に固定させて、回転支持部を中心として機体を回動させることができるので、路面を円形状に切断することができ、また、回転支持部は機体の略中央部に設けられているため、回転支持部と切断刃との距離を縮小させることができるので、路面を比較的に小径の円形状に切断することができると共に、機体は略中央部の回転支持部を中心として自転するため、機体を安定に回動支持することができる。
【００２０】
また、前記回転刃は機体の一側部に搭載された昇降装置の外側部に機体の回動方向に沿って配設されているので、回転刃を回転刃が配設されている側の機体の一側部に強固に支持することができ、しかも、機体の回転支持部を機体の略中央部に位置させることと相俟って、機体の側部に配設されている回転刃の移動軌跡円を比較的に小径にすることができると共に、回転刃の移動軌跡円を機体外郭部の移動軌跡円と略同程度に設定することができるので、縁石等の障害物がある場所でも、機体が邪魔になることなく、障害物に接近した路面を比較的に小径の円形状に切断することができる。
【図面の簡単な説明】
【図１】本発明に係る建柱用路面切断機の一部を縦断して示す背面図である。
【図２】本発明に係る建柱用路面切断機の平面図である。
【図３】本発明に係る建柱用路面切断機の側面図である。
【図４】従来技術の説明図である。
【符号の説明】
１　…機体
１２…補強フレーム
１３…キャスタ
１４…手押しハンドル
１７…回転支持部である軸受
１８…固定台
１９…支持軸
２　…昇降装置
３　…回転刃
【図１】
2004036232.tif 000003
【図２】
2004036232.tif 000004
【図３】
2004036232.tif 000005
【図４】
2004036232.tif 000006